(57)【要約】【課題】人の不在時には暖房運転を停止させ無駄な電力消費を抑えることができる温水暖房機を提供すること。【解決手段】暖房用の温水を加熱するための加熱源２と加熱したエネルギーを温水に伝えるための熱交換器３とリモコン５とを備えた温水暖房機１において、人の在／不在を検知する人検知手段９と、温度設定手段７と、前記人検知手段９が人を検知しなくなってからの時間をカウントする不在時間計測手段１０とを前記リモコン５に備え、前記不在時間計測手段１０が所定の時間を計測した場合に運転を停止させる。【選択図】図１
2013133964.tif 000002
【特許請求の範囲】
【請求項１】
暖房用の温水を加熱するための加熱源と加熱したエネルギーを温水に伝えるための熱交換器とリモコンとを備えた温水暖房機において、人の在／不在を検知する人検知手段と、温度設定手段と、前記人検知手段が人を検知しなくなってからの時間をカウントする不在時間計測手段とを前記リモコンに備え、前記不在時間計測手段が所定の時間を計測した場合に運転を停止させることを特徴とする温水暖房機。
【請求項２】
暖房用の温水を加熱するための加熱源と加熱したエネルギーを温水に伝えるための熱交換器とリモコンとを備えた温水暖房機において、人の在／不在を検知する人検知手段と、温度設定手段と、前記人検知手段が人を検知しなくなってからの時間をカウントする不在時間計測手段とを前記リモコンに備え、前記不在時間計測手段が第１の所定時間を計測した場合に前記温度設定手段で設定された温度より暖房温度を下げ、さらに前記不在時間計測手段が第２の所定時間を計測した場合に運転を停止させることを特徴とする温水暖房機。
【請求項３】
前記人検知手段は、前記リモコンから取り外し可能とし、取り外された前記人検知手段は、人の在／不在信号を前記リモコンに通信することを特徴とする請求項１または２に記載の温水暖房機。
【請求項４】
前記リモコンに有する人検知手段とは別に、追加人検知ユニットを設け、前記追加人検知ユニットには、人検知手段と通信手段とを備え、前記追加人検知ユニットの前記人検知手段の人の在／不在信号を前記リモコンに通信することを特徴とする請求項１から３のいずれか１項に記載の温水暖房機。
【請求項５】
前記人検知手段が人の在を検知した場合に運転を開始させることを特徴とする請求項１から４のいずれか１項に記載の温水暖房機。
【発明の詳細な説明】
【技術分野】
【０００１】
本発明は、加熱源を用いて生成した温水を循環ポンプで暖房端末に循環し、暖房を行う温水暖房機に関するものである。
【背景技術】
【０００２】
従来の温水暖房機では、屋外に設置した熱源ユニットと屋内の熱交換ユニットで構成される分離式温水暖房機と、熱源ユニットと熱交換ユニットを一体化し、屋外に設置する一体型温水暖房機がある。いずれにしても、温水暖房機で温水を生成し、その温水を部屋の床暖房パネルや、温水パネル等の暖房端末に供給する。
【０００３】
温水暖房の特徴として、熱源が屋外にあるため、室内では静かに暖房を行なうことができる。また、熱源が屋外にあるため、そのコントロールは室内に設定したリモコンで行なう。分離型温水暖房機においても、屋内の熱交換ユニットは、リビングなどではなく、ユーティリティスペースなどの、人が普段はいない場所に設置される場合が多い。そのため、分離型温水暖房機においても、通常、使いやすい場所にリモコンを設置している（例えば、特許文献１参照）。
【先行技術文献】
【特許文献】
【０００４】
【特許文献１】特開２０１０−２５３５７号公報
【発明の概要】
【発明が解決しようとする課題】
【０００５】
しかしながら、前記従来の構成では、リモコンの操作は容易ではあるが、温水暖房機の特徴である静かな暖房というメリットが災いして、就寝時等で暖房運転を切り忘れるという課題を有していた。暖房運転を切り忘れても安全性の面で問題はないが、無駄な電力を消費してしまうという課題を有していた。
【０００６】
本発明は、前記従来の課題を解決するもので、人の不在時には暖房運転を停止させる温水暖房機を提供することを目的とする。
【課題を解決するための手段】
【０００７】
前記従来の課題を解決するために、本発明の温水暖房機は、リモコンに、人の在／不在を検知する人検知手段と、前記人検知手段が人を検知しなくなってからの時間をカウントする不在時間計測手段とを設け、前記不在時間計測手段が所定の時間を計測した場合に運転を停止させるものである。
【０００８】
これによって、所定の時間、人がいないと判断した場合には、暖房運転を停止させることができる。
【発明の効果】
【０００９】
本発明の温水暖房機は、人の不在時には暖房運転を停止させることができ、無駄な電力消費を抑えることができる。
【図面の簡単な説明】
【００１０】
【図１】本発明の実施の形態１における温水暖房機のブロック図
【図２】本発明の実施の形態１におけるリモコンの外観図
【図３】本発明の実施の形態１における追加人検知ユニットの外観図
【図４】本発明の実施の形態１における温水暖房機の人検知フローチャート
【図５】（ａ）本発明の実施の形態２におけるリモコンの外観図、（ｂ）同リモコンから人検知手段を取り外した外観図
【発明を実施するための形態】
【００１１】
第１の発明は、暖房用の温水を加熱するための加熱源と加熱したエネルギーを温水に伝えるための熱交換器とリモコンとを備えた温水暖房機において、人の在／不在を検知する人検知手段と、温度設定手段と、前記人検知手段が人を検知しなくなってからの時間をカウントする不在時間計測手段とを前記リモコンに備え、前記不在時間計測手段が所定の時間を計測した場合に運転を停止させることにより、人の不在時には暖房運転を停止させることができ、無駄な電力消費を抑えることができる。
【００１２】
第２の発明は、暖房用の温水を加熱するための加熱源と加熱したエネルギーを温水に伝えるための熱交換器とリモコンとを備えた温水暖房機において、人の在／不在を検知する人検知手段と、温度設定手段と、前記人検知手段が人を検知しなくなってからの時間をカウントする不在時間計測手段とを前記リモコンに備え、前記不在時間計測手段が第１の所定時間を計測した場合に前記温度設定手段で設定された温度より暖房温度を下げ、さらに前記不在時間計測手段が第２の所定時間を計測した場合に運転を停止させることにより、人の不在時間が短い場合に、暖房温度を下げて省エネ運転を実現し、人の不在時間が長い場合には暖房運転を停止させることができ、無駄な電力消費を抑えることができる。また、人の不在時間が短い場合においては、運転を停止させるのではなく暖房温度を下げることで、少し席を外していた間に運転が停止し、快適性を損ねることを回避できる。
【００１３】
第３の発明は、特に、第１または第２の発明の人検知手段を、前記リモコンから取り外し可能とし、取り外された前記人検知手段は、人の在／不在信号を前記リモコンに通信することにより、前記リモコンの設置場所に関わらず、人の在／不在を検知しやすい場所に前記人検知手段を設置することができ、人の在／不在検知を誤検知（人がいるのに不在として誤検知）することを防止でき、正確な人の在／不在検知に基づいて、人の不在時には暖房運転を停止させることができ、無駄な電力消費を抑えることができる。
【００１４】
第４の発明は、特に、第１から第３のいずれか１つの発明のリモコンに有する人検知手段とは別に、追加人検知ユニットに設け、前記追加人検知ユニットには、人検知手段と通信手段とを備え、前記追加人検知ユニットの前記人検知手段の人の在／不在信号を前記リモコンに通信することにより、前記リモコンの設置場所に関わらず、人の在／不在を検知しやすい場所に前記追加人検知ユニットを設置することができ、人の在／不在検知を誤検知（人がいるのに不在として誤検知）することを防止でき、正確な人の在／不在検知に基づいて、人の不在時には暖房運転を停止させることができ、無駄な電力消費を抑えることができる。
【００１５】
第５の発明は、特に、第１から第４のいずれか１つの発明の人検知手段が人の在を検知した場合に運転を開始させることにより、人の不在を検知して暖房運転が停止した後においても、人が部屋に戻ってきて、人検知手段が人の在を検知すればすぐに暖房運転が開始されるので、暖房運転の消し忘れ防止と、使い勝手の両立ができる。
【００１６】
以下、本発明の実施の形態について、図面を参照しながら説明する。なお、この実施の形態によって本発明が限定されるものではない。
【００１７】
（実施の形態１）
図１は、本発明の第１の実施の形態における温水暖房機のブロック図を示すものである
。
【００１８】
図１に示すように、温水暖房機本体１は、加熱源２と熱交換器３で構成される。熱交換器３には、床暖房パネル４が接続され、室内の床を温水が流れる。リモコン５には、温水暖房機本体１と通信を行う通信手段６、暖房温度設定を行う温度設定手段７、温度設定などの表示を行う表示手段８、人の在／不在を検知する人検知手段９、人検知手段９で不在判定している時間を計測する不在時間計測手段１０、不在時間計測手段１０の計測時間が第１の所定時間を経過した場合に暖房温度を低下させる温度変更手段１１、不在時間計測手段１０の計測時間が第２の所定時間を経過した場合に運転を停止させる運転停止手段１２、人検知手段９で人の在を判定した場合に運転を開始させる運転開始手段１３を備えており、全てマイコン１４と接続されている。
【００１９】
図２は、本実施の形態におけるリモコンの外観図である。
【００２０】
図２において、温度設定手段７の「▲」を押せば、温度設定が高くなり。「▼」を押せば、温度設定が低くなる。表示手段８は、液晶の画面である。人検知手段９は、リモコンの正面に設置してある。
【００２１】
図３は、本実施の形態における追加人検知ユニット１５の外観図である。
【００２２】
図３に示すように、追加人検知ユニット１５の正面に人検知手段１６を備えており、図１に示すように、追加人検知ユニット１５の内部に通信手段１７、マイコン１８を備えており、追加人検知ユニット１５の通信手段１７は、リモコン５の通信手段６と通信を行う。
【００２３】
この追加人検知ユニット１５は、暖房を行う部屋に設置するが、部屋の中でも人を検知しやすい場所に設置できるように小型のものとなっている。
【００２４】
以上のように構成された温水暖房機について、以下その動作、作用を説明する。
【００２５】
図４は、本実施の形態における温水暖房機の人検知フローチャートである。
【００２６】
図４のステップ１（Ｓ１）で、人検知手段９の在／不在判定結果で人がいると判定した場合、ステップ２（Ｓ２）で暖房運転を「入」にし、暖房温度は、温度設定手段７で設定された設定温度とする。ステップ１（Ｓ１）で、人検知手段９の在／不在判定結果で人がいないと判定した場合、ステップ３（Ｓ３）で不在時間計測手段１０の不在時間を判定する。
【００２７】
ステップ３（Ｓ３）で、第２の所定時間（例えば１時間）が経過していなければ、ステップ４（Ｓ４）に進み、第１の所定時間（例えば３０分）が経過しているか判定する。
【００２８】
ステップ４（Ｓ４）で、第１の所定時間も経過していなければ、不在時間が短いと判断し、ステップ５（Ｓ５）で、暖房運転は「入」のままとする。ステップ４（Ｓ４）で、第１の所定時間が経過していれば、ステップ６（Ｓ６）で、温度変更手段１１が、暖房温度を、温度設定手段７で設定された設定温度より低下させる。
【００２９】
ステップ３（Ｓ３）で、第２の所定時間が経過していれば、ステップ７（Ｓ７）で、運転停止手段１２が暖房運転を「切」にする。
【００３０】
図４のフローチャートのステップ１（Ｓ１）の人検知については、リモコン５の人検知
手段９だけでなく、追加人検知ユニット１５の人検知手段１６についても適用する。
【００３１】
以上のように、本実施の形態において、人の在／不在を検知する人検知手段９と、人検知手段９が人を検知しなくなってからの時間をカウントする不在時間計測手段１０と、不在時間計測手段１０が第２の所定時間を計測した場合に運転を停止させる運転停止手段１２を有することにより、人の不在時には暖房運転を停止させることができ、無駄な電力消費を抑えることができる。
【００３２】
また、不在時間計測手段１０が第１の所定時間を計測した場合に、温度変更手段１１が、暖房温度を、温度設定手段７で設定された設定温度より低下させるので、人の不在時間が短い間は、暖房温度を下げて省エネを実現し、人の不在時間が長い場合に暖房運転を停止させることができ、無駄な電力消費を抑えることができる。また、人の不在時間が短い場合において、運転を停止させるのではなく暖房温度を下げるので、少し席を外していた間に運転が停止し、快適性を損ねることを回避できる。
【００３３】
また、リモコン５に有する人検知手段９とは別に、追加人検知ユニット１５を設け、追加人検知ユニット１５に人検知手段１６と通信手段１７を備え、人検知手段１６の人の在／不在信号をリモコン５に通信することで、リモコン５が人を検知しにくい場所に設置されたとしても、追加人検知ユニット１５を人を検知しやすい場所に設置することによって、人の在／不在を誤検知（人がいるのに不在として誤検知）することを防止でき、正確な人の在／不在検知に基づいて、人の不在時には暖房運転を停止させることができ、無駄な電力消費を抑えることができる。
【００３４】
また、人検知手段９もしくは人検知手段１６が、人の在を検知した場合に運転を開始させる運転開始手段１３を有することにより、人の不在を検知して暖房運転が停止した後においても、人が部屋に戻ってきて、人検知手段９が人の在を検知すればすぐに暖房運転が開始されるので、暖房運転の消し忘れ防止と、使い勝手の両立ができる。
【００３５】
なお、第１の所定時間は、人が部屋を出入りしても、頻繁に温度が変化しないように、例えば１０分や３０分に設定し、第２の所定時間は、入浴後、部屋に戻ってきたときに暖房が停止していることがないように、例えば１時間に設定すればよい。また、第１の所定時間と第２の所定時間を、リモコン５で設定できるようにしてもよい。
【００３６】
なお、人検知手段９および人検知手段１６は、人の赤外線を検知する赤外検出器が一般的であるが、他の方式でも同様の効果があることは言うまでもない。
【００３７】
また、リモコン５と追加人検知ユニット１５との間の通信は、図１のような有線通信でも構わないが、赤外線通信や無線通信にすれば、配線工事を簡略化できる。
【００３８】
なお、本実施の形態では、床暖房パネル４とリモコン５は一つずつとしているが、暖房を行う部屋が複数あれば、対応する床暖房パネル４ごとにリモコン５を設置し、床暖房パネルへの温水の通水を入／切することで、各部屋の暖房運転を入／切することができることは言うまでもない。
【００３９】
なお、不在時間計測手段１０、温度変更手段１１、運転停止手段１２、運転開始手段１３は、マイコン１４の内部に構成してもよい。
【００４０】
（実施の形態２）
図５（ａ）は、本発明の第２の実施の形態におけるリモコン５の外観図である。図５（ｂ）は、同実施の形態におけるリモコン５から人検知手段９を取り外した外観図である。
【００４１】
温水暖房機のリモコン５を、人を検知しやすい場所に設置できる場合は、図５（ａ）のように、リモコン５と人検知手段９とを一体になった状態で設置する。しかし、リモコン５を、人を検知しにくい場所、例えば部屋の隅に設置するような場合などは、図５（ｂ）のように、リモコン５から人検知手段９の部分を取り外し、人検知手段９の部分を、人を検知しやすい場所に設置する。
【００４２】
そして、リモコン５から取り外した人検知手段９は、リモコン５の本体部分に対して、人検知信号を通信する。図５（ｂ）では、有線による接続を行い、有線による通信を行う状態を示している。
【００４３】
以上のように構成された温水暖房機の動作、作用は、実施の形態１と同じであるため、説明は省略する。
【００４４】
以上のように、本実施の形態において、人検知手段９を、リモコン５から取り外し可能とし、取り外された人検知手段９は、人の在／不在信号をリモコン５に通信することにより、リモコン５の設置場所に関わらず、人の在／不在を検知しやすい場所に人検知手段９を設置することができ、人の在／不在を誤検知（人がいるのに不在として誤検知）することを防止でき、正確な人の在／不在検知に基づいて、人の不在時には暖房運転を停止させることができ、無駄な電力消費を抑えることができる。
【００４５】
また、本実施の形態では、実施の形態１のように、追加人検知ユニット１５ではなく、リモコン５に取り付けられた人検知手段９を取り外して、人を検知しやすい場所に設置しているので、コスト的にメリットがある。
【００４６】
なお、リモコン５と人検知手段９との間の通信は、図５（ｂ）のような有線通信でも構わないが、赤外線通信や無線通信にすれば、配線工事を簡略化できる。
【産業上の利用可能性】
【００４７】
以上のように、本発明にかかる温水暖房機は、人の不在時には暖房運転を停止させることができ、無駄なエネルギーを削減することが可能となるので、複数の部屋を管理しなければならない各種業務用暖房機等の用途にも適用できる。
【符号の説明】
【００４８】
２  加熱源
３  熱交換器
５  リモコン
６  通信手段
７  温度設定手段
９  人検知手段
１０  不在時間計測手段
１１  温度変更手段
１２  運転停止手段
１３  運転開始手段
１５  追加人検知ユニット
１６  人検知手段
１７  通信手段
【図１】
2013133964.tif 000003
【図２】
2013133964.tif 000004
【図３】
2013133964.tif 000005
【図４】
2013133964.tif 000006
【図５】
2013133964.tif 000007